(57)【要約】【課題】ハードケーススーツケースを提供する。【解決手段】上部と、底部と、左側部と、右側部と、連接部と、背部とを有し、なお、上部及び底部は左側部、右側部及び背部に相互に連接され、連接部は左側部、右側部及び底部に相互に連接され、且つ連接部の高さは背部より低く、連接部の上方には開口部が形成され、内部には収納空間を有し、開口部は収納空間に連通され、底部は単一の部材であり、且つ複数の結合端部を有する硬質のケース本体と、結合キットによりケース本体の開口部の位置に枢着されるパネルと、ケース本体及びパネルの対向し合う位置に設置され、パネルとケース本体とを結合させるための結合キットと、ケース本体の結合端部にそれぞれ設置される複数のキャスターセットとを備える。【選択図】図４
2017209336.tif 000002
【特許請求の範囲】
【請求項１】
上部と、底部と、左側部と、右側部と、連接部と、背部とを有し、前記上部及び前記底部は前記左側部、前記右側部及び前記背部に相互に連接され、前記連接部は前記左側部、前記右側部及び前記底部に相互に連接され、前記連接部の高さは前記背部より低く、前記連接部の上方には開口部が形成され、内部には収納空間を有し、前記開口部は前記収納空間に連通され、前記底部は単一の部材であり、且つ複数の結合端部を有する硬質のケース本体と、
前記ケース本体の開口部の位置に枢着されるパネルと、
前記ケース本体及び前記パネルの対向し合う位置に設置され、前記パネルと前記ケース本体とを結合させるための結合キットと、
前記ケース本体の結合端部にそれぞれ設置される複数のキャスターセットと、を備えることを特徴とする、
ハードケーススーツケース。
【請求項２】
前記連接部は前記底部から外に向けて適度な広さ延伸された後に上に向けて予定の高さ突起され、且つ前記開口部の下方の位置にある二側の辺縁には前記連接部に連接される凹状の弧部を有することを特徴とする、請求項１に記載のハードケーススーツケース。
【請求項３】
前記ケース本体の背部に設置されるトロリーを更に備えることを特徴とする、請求項１に記載のハードケーススーツケース。
【請求項４】
前記結合キットは、前記パネル及び前記ケース本体の開口部の周縁に設置されるファスナーキットであることを特徴とする、請求項１に記載のハードケーススーツケース。
【請求項５】
前記結合キットは、少なくとも１つのロック片及びロックリングを有し、前記パネル及び前記ケース本体の対向し合う位置に設置されるロックキットであることを特徴とする、請求項１に記載のハードケーススーツケース。
【請求項６】
前記結合キットは、相互に吸着される少なくとも１組の磁石を有し、前記パネル及び前記ケース本体の対向し合う位置に設置される磁気吸着キットであることを特徴とする、請求項１に記載のハードケーススーツケース。
【請求項７】
前記結合キットは、前記パネル及び前記ケース本体の対向し合う位置に設置される相互に錠止される１組の鍵及び錠前であることを特徴とする、請求項１に記載のハードケーススーツケース。
【請求項８】
前記結合端部は凹設方式により前記底部の４つの角に成形されることを特徴とする、請求項１に記載のハードケーススーツケース。
【発明の詳細な説明】
【技術分野】
【０００１】
本発明は、一体成形される底部にキャスターセットが設置されるハードケーススーツケースに関する。
【背景技術】
【０００２】
図１及び図２に示すように、従来のハードケーススーツケース１は物品を収納するための中空の収納空間を有し、通常はスーツケース１にあるファスナー２を利用して前ケース３及び後ケース４が直接結合され、且つ前ケース３及び後ケース４にはキャスターセット５がそれぞれ装設され、使用者がスーツケース１を移動させるために使用される。
【発明の概要】
【発明が解決しようとする課題】
【０００３】
しかしながら、前述した従来のハードケーススーツケースでは、キャスターセット５が独立した２つの前ケース３及び後ケース４にそれぞれ装設されるため、キャスターセット５が装設時に高さを容易に揃えられないという欠点があり、スーツケース１にキャスターセット５が装設された後に地面に置かれた際に傾いてしまうことがあった。
この問題を改善させるために、ある業者はスーツケース１の底部が完全に被覆されるキャスターの取付座の設計を提供し、キャスターの取付座が真っ直ぐになるという設計上の特性により水平に揃って装設されるように精確性を向上させた。しかし、この方式でもキャスターの取付座が独立した設計になるため、キャスターの取付座が独立した部材であるためにスーツケース１の底部に装設される際に高さが不均一になる現象を解決できない。
本発明者は上記の欠点が改善可能と考え、鋭意検討を重ねた結果、合理的設計で上記の課題を効果的に改善する本発明の提案に到った。
【０００４】
本発明は、以上の従来技術の課題を解決する為になされたものである。即ち、本発明は、ケース本体は底部と一体成形されて連接されるように設置され、且つ底部には同じ平面になるように予め設けられる４つの結合端部を有し、キャスターセットが結合端部に装設される際の精確性を高め、キャスターセットが地面に対して高さが一致するように確保させる、ハードケーススーツケースを提供することを主目的とする。
【０００５】
本発明の他の目的は、一体成形されるケース本体により、ケース本体の底部の堅牢性を更に強化させ、且つスーツケースが置かれた際に安定して倒れなくなる効果を有するハードケーススーツケースを提供することである。
【課題を解決するための手段】
【０００６】
上述した課題を解決し、目的を達成するための、本発明に係るハードケーススーツケースは、上部と、底部と、左側部と、右側部と、連接部と、背部とを有し、前記上部及び前記底部は前記左側部、前記右側部及び前記背部に相互に連接され、なお、前記連接部は前記左側部、前記右側部及び前記底部に相互に連接され、且つ前記連接部の高さは前記背部より低く、前記連接部の上方には開口部が形成され、内部には収納空間を有し、前記開口部は前記収納空間に連通され、前記底部は単一の部材であり、且つ複数の結合端部を有する硬質のケース本体と、前記ケース本体の開口部の位置に枢着されるパネルと、前記ケース本体及び前記パネルの対向し合う位置に設置され、前記パネルと前記ケース本体とを結合させるための結合キットと、前記ケース本体の結合端部にそれぞれ設置される複数のキャスターセットとを備えることを特徴とする。
【０００７】
好ましくは、連接部は底部から外に向けて適度な広さ延伸された後に上に向けて予定の高さ突起され、且つ開口部の下方の位置にある二側の辺縁には連接部に連接される凹状の弧部を有する。
【０００８】
好ましくは、スーツケースは、結合キットによりケース本体の開口部の位置に装設されるパネルを更に備える。結合キットはファスナーキット、ロックキット、磁気吸着キット、或いは錠前キットである。
【発明の効果】
【０００９】
本発明は、ケース本体が底部と一体成形されて連接されるように設置され、且つ底部は同じ平面になるように予め設けられる４つの結合端部を有するため、キャスターセットが結合端部に装設される際の精確性を高め、キャスターセットが地面に対して高さが一致するように確保させる。
同時に、一体成形されるケース本体により、ケース本体の底部の堅牢性を更に強化させ、且つスーツケースが置かれた際に安定して倒れなくなる効果を有する。
【図面の簡単な説明】
【００１０】
【図１】従来のハードケーススーツケースを示す外観斜視図である。
【図２】従来のハードケーススーツケースを示す側面図である。
【図３】本発明の第１実施形態によるハードケーススーツケースを示す外観斜視図である。
【図４】本発明のハードケーススーツケースにパネルを結合させる外観斜視図である。
【図５】本発明のハードケーススーツケースにパネルを結合させる外観を他の角度から見た斜視図である。
【図６】本発明のハードケーススーツケースにパネルを結合させる側面の概略図である。
【図７】本発明の他の実施形態によるハードケーススーツケースにパネルを結合させる側面の概略図である。
【図８】本発明のパネル側面から開かれた状態を示す斜視の概略図である。
【図９】本発明のパネル上面から開かれた状態を示す斜視の概略図である。
【図１０】本発明の第１実施形態によるパネル上面から開かれた状態及び結合キットを示す斜視の概略図である。
【図１１】本発明の第１実施形態によるパネル上面から開かれた状態及び結合キットを示す側面の概略図である。
【図１２】本発明の第１実施形態によるパネル側面から開かれた状態及び結合キットを示す傾斜の概略図である。
【図１３】本発明の他の実施形態によるパネル側面から開かれた状態及び結合キットを示す傾斜の概略図である。
【図１４】本発明の他の実施形態によるパネル上面から開かれた状態及び結合キットを示す傾斜の概略図である。
【図１５】本発明のパネル上面から開かれた状態及びロックキットを示す部分の傾斜の概略図である。
【発明を実施するための形態】
【００１１】
本発明における好適な実施の形態について、添付図面を参照して説明する。
尚、以下に説明する実施の形態は、特許請求の範囲に記載された本発明の内容を限定するものではない。また、以下に説明される構成の全てが、本発明の必須要件であるとは限らない。
【実施例】
【００１２】
（第１実施形態）
以下、本発明のハードケーススーツケースを図３〜１５に基づいて説明する。本発明のハードケーススーツケースは以下の部材で構成される。
（１）硬質のケース本体１０。
上部１００と、底部１０１と、左側部１０２と、右側部１０３と、連接部３１と、背部１０４とを有し、上部１００及び底部１０１は左側部１０２、右側部１０３及び背部１０４に相互に連接される。連接部３１は左側部１０２、右側部１０３及び底部１０１に相互に連接され、連接部３１の高さは背部１０１より低く、ケース本体１０は連接部３１の上方に開口部１１が形成され、ケース本体１０の内部には収納空間１２を有し、開口部１１は収納空間１２に連通される。底部１０１は単一の部材であり、且つ複数の結合端部３２を有する。これら前記結合端部３２は凹設方式により底部１０１の４つの角に成形される。ケース本体１０の背部１０４にはトロリー２０が設置される。
【００１３】
本実施形態において、連接部３１は底部１０１から先ず外に向けて適度な広さＷ延伸された後に上に向けて予定の高さＨ突起され（図９乃至図１３参照）、開口部１２の下方の位置にある二側の辺縁には連接部３１に連接される凹状の弧部１２０を各々有する。
【００１４】
（２）パネル４０。
ケース本体１０の開口部１２の位置に枢着され、且つ結合キット４１によりパネル４０が開口部１２を閉じる位置に固定される。パネル４０は凹状の弧部１２０により装設がスムーズになり、且つ結合キット４１はパネル４０が開かれる方向に合わせて異なる位置に設置される（図８及び図９参照）。図８及び図９はそれぞれパネル４０側面から開かれた動作の概略図及び上面から開かれた動作の概略図である。
結合キット４１はファスナーキットであり、図６乃至図９に示すように、パネル４０及びケース本体１０の開口部１２の周縁に設置される。また結合キット４１はロックキットでもよく（図１０乃至図１２参照）、複数のロック片及びロックリングを有し、パネル４０及びケース本体１０の対向し合う位置に設置される。あるいは結合キット４１は磁気吸着キットであり（図１３及び図１４参照）、相互に吸着される複数組の磁石（或いは磁石及び鉄板等の磁石により吸着される部材）を有し、パネル及びケース本体１０の対向し合う位置に設置される。さらに結合キット４１は相互に錠止される１組の鍵４１１及び錠前４１２を有してもよく（図１５参照）、パネル４０及びケース本体１０の対向し合う位置に設置される。鍵４１１には文字合わせ鍵を有し、錠止後には正確な数字の組み合わせを入力しなければ開けられない。
【００１５】
（３）４つのキャスターセット５０。
底部１０１の４つの結合端部３２に装設される。
【００１６】
本発明の主な技術的特徴は、スーツケースのケース本体１０に改良が加えられ、ケース本体１０は一体成形方式で成形され、且つケース本体１０は開口部１２の下方に予定の高さＨの連接部３１を有すると共に底部１０１に結合され、底部１０１の４つの結合端部３２は凹設方式で成形されることで予め設けられる。また、同じ平面になるように予め設けられるキャスターセット５０は、各キャスターセット５０が同一の水平の高さに位置され、装設後にキャスターセット５０が地面に対して高さが一致するように確保させる。
【００１７】
このほか、ケース本体１０は一体成形で製造されると共に連接部３１に結合されるため、連接部３１の設計によりケース本体１０の耐衝撃強度が強化され、ケース本体１０の底部１０１の堅牢性も強化され、且つスーツケースが置かれた際に安定して倒れなくなる効果を有する。
【００１８】
ケース本体１０は物品を収納させるための内側に凹む収納空間１１、及び使用者がスーツケースを移動させやすくするためのトロリー２０を有し、ケース本体１０の開口部１２は結合キット４１によりパネル４０に結合される。
結合キット４１によりパネル４０がケース本体１０に確実に固結されることで、スーツケースの運搬時にパネル４０が開いてケース本体１０の収納空間１１内に収納された物品が飛び出す事態を回避させる。
【００１９】
体積がより大きいスーツケースの設計では、キャスターセット５０がケース本体１０の底部１０１に直接装設され、キャスターセット５０が直接受力する効果を更に有し、ケース本体１０が移動或いは直立して置かれた場合の安定性及びバランスを改善させる。
スーツケースが置かれた場合のバランスは地面に接する面積が大きくなるほど傾いたり倒れたりしにくくなり、且つ底部１０１がケース本体１０の底部１０１を完全に被覆させるため、ケース本体１０の底部１０１の支持構造がより強化される。
【００２０】
本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００２１】
１      スーツケース
２      ファスナー
３      前ケース
４      後ケース
５      キャスターセット
１０    ケース本体
１００  上部
１０１  底部
１０２  左側部
１０３  右側部
１０４  背部
１１    収納空間
１２    開口部
１２０  凹状の弧部
２０    トロリー
３１    連接部
３２    結合端部
４０    パネル
４１    結合キット
５０    キャスターセット
Ｈ      予定の高さ
Ｗ      適度な広さ
【図１】
2017209336.tif 000003
【図２】
2017209336.tif 000004
【図３】
2017209336.tif 000005
【図４】
2017209336.tif 000006
【図５】
2017209336.tif 000007
【図６】
2017209336.tif 000008
【図７】
2017209336.tif 000009
【図８】
2017209336.tif 000010
【図９】
2017209336.tif 000011
【図１０】
2017209336.tif 000012
【図１１】
2017209336.tif 000013
【図１２】
2017209336.tif 000014
【図１３】
2017209336.tif 000015
【図１４】
2017209336.tif 000016
【図１５】
2017209336.tif 000017
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
上部と、底部と、左側部と、右側部と、連接部と、背部とを有し、前記上部及び前記底部は前記左側部、前記右側部及び前記背部に相互に連接され、前記連接部は前記左側部、前記右側部及び前記底部に相互に連接され、前記連接部の高さは前記背部より低く、前記連接部の上方には開口部が形成され、内部には収納空間を有し、前記開口部は前記収納空間に連通され、前記底部は単一の部材であり、且つ複数の結合端部を有する硬質のケース本体と、
前記ケース本体の開口部の位置に枢着されるパネルと、
前記ケース本体及び前記パネルの対向し合う位置に設置され、前記パネルと前記ケース本体とを結合させるための結合キットと、
前記ケース本体の結合端部にそれぞれ設置される複数のキャスターセットと、を備え、
前記連接部は前記底部から外に向けて水平に広さ（Ｗ）延伸された後に上に向けて高さ（Ｈ）突起され、且つ凹状の弧部が前記開口部の左右二側の辺縁の下端に位置し、前記連接部に連接されることを特徴とする、
ハードケーススーツケース。
【請求項２】
前記ケース本体の背部に設置されるハンドルを更に備えることを特徴とする、請求項１に記載のハードケーススーツケース。
【請求項３】
前記結合キットは、前記パネル及び前記ケース本体の開口部の周縁に設置されるファスナーキットであることを特徴とする、請求項１に記載のハードケーススーツケース。
【請求項４】
前記結合キットは、少なくとも１つのロック片及びロックリングを有し、前記パネル及び前記ケース本体の対向し合う位置に設置されるロックキットであることを特徴とする、請求項１に記載のハードケーススーツケース。
【請求項５】
前記結合キットは、相互に吸着される少なくとも１組の磁石を有し、前記パネル及び前記ケース本体の対向し合う位置に設置される磁気吸着キットであることを特徴とする、請求項１に記載のハードケーススーツケース。
【請求項６】
前記結合キットは、前記パネル及び前記ケース本体の対向し合う位置に設置される相互に錠止される１組の鍵及び錠前であることを特徴とする、請求項１に記載のハードケーススーツケース。
【請求項７】
前記結合端部は凹み形状を呈し、前記底部の４つの角に成形されることを特徴とする、請求項１に記載のハードケーススーツケース。
【手続補正２】
【補正対象書類名】明細書
【補正対象項目名】全文
【補正方法】変更
【補正の内容】
【発明の詳細な説明】
【技術分野】
【０００１】
本発明は、一体成形される底部にキャスターセットが設置されるハードケーススーツケースに関する。
【背景技術】
【０００２】
図１及び図２に示すように、従来のハードケーススーツケース１は物品を収納するための中空の収納空間を有し、通常はスーツケース１にあるファスナー２を利用して前ケース３及び後ケース４が直接結合され、且つ前ケース３及び後ケース４にはキャスターセット５がそれぞれ装設され、使用者がスーツケース１を移動させるために使用される。
【発明の概要】
【発明が解決しようとする課題】
【０００３】
しかしながら、前述した従来のハードケーススーツケースでは、キャスターセット５が独立した２つの前ケース３及び後ケース４にそれぞれ装設されるため、キャスターセット５が装設時に高さを容易に揃えられないという欠点があり、スーツケース１にキャスターセット５が装設された後に地面に置かれた際に傾いてしまうことがあった。
この問題を改善させるために、ある業者はスーツケース１の底部が完全に被覆されるキャスターの取付座の設計を提供し、キャスターの取付座が真っ直ぐになるという設計上の特性により水平に揃って装設されるように精確性を向上させた。しかし、この方式でもキャスターの取付座が独立した設計になるため、キャスターの取付座が独立した部材であるためにスーツケース１の底部に装設される際に高さが不均一になる現象を解決できない。
本発明者は上記の欠点が改善可能と考え、鋭意検討を重ねた結果、合理的設計で上記の課題を効果的に改善する本発明の提案に到った。
【０００４】
本発明は、以上の従来技術の課題を解決する為になされたものである。即ち、本発明は、ケース本体は底部と一体成形されて連接されるように設置され、且つ底部には同じ平面になるように予め設けられる４つの結合端部を有し、キャスターセットが結合端部に装設される際の精確性を高め、キャスターセットが地面に対して高さが一致するように確保させる、ハードケーススーツケースを提供することを主目的とする。
【０００５】
本発明の他の目的は、一体成形されるケース本体により、ケース本体の底部の堅牢性を更に強化させ、且つスーツケースが置かれた際に安定して倒れなくなる効果を有するハードケーススーツケースを提供することである。
【課題を解決するための手段】
【０００６】
上述した課題を解決し、目的を達成するための、本発明に係るハードケーススーツケースは、上部と、底部と、左側部と、右側部と、連接部と、背部とを有し、前記上部及び前記底部は前記左側部、前記右側部及び前記背部に相互に連接され、なお、前記連接部は前記左側部、前記右側部及び前記底部に相互に連接され、且つ前記連接部の高さは前記背部より低く、前記連接部の上方には開口部が形成され、内部には収納空間を有し、前記開口部は前記収納空間に連通され、前記底部は単一の部材であり、且つ複数の結合端部を有する硬質のケース本体と、前記ケース本体の開口部の位置に枢着されるパネルと、前記ケース本体及び前記パネルの対向し合う位置に設置され、前記パネルと前記ケース本体とを結合させるための結合キットと、前記ケース本体の結合端部にそれぞれ設置される複数のキャスターセットとを備えることを特徴とする。
【０００７】
好ましくは、連接部は底部から外に向けて適度な広さ延伸された後に上に向けて予定の高さ突起され、且つ開口部の下方の位置にある二側の辺縁には連接部に連接される凹状の弧部を有する。
【０００８】
好ましくは、スーツケースは、結合キットによりケース本体の開口部の位置に装設されるパネルを更に備える。結合キットはファスナーキット、ロックキット、磁気吸着キット、或いは錠前キットである。
【発明の効果】
【０００９】
本発明は、ケース本体が底部と一体成形されて連接されるように設置され、且つ底部は同じ平面になるように予め設けられる４つの結合端部を有するため、キャスターセットが結合端部に装設される際の精確性を高め、キャスターセットが地面に対して高さが一致するように確保させる。
同時に、一体成形されるケース本体により、ケース本体の底部の堅牢性を更に強化させ、且つスーツケースが置かれた際に安定して倒れなくなる効果を有する。
【図面の簡単な説明】
【００１０】
【図１】従来のハードケーススーツケースを示す外観斜視図である。
【図２】従来のハードケーススーツケースを示す側面図である。
【図３】本発明の第１実施形態によるハードケーススーツケースを示す外観斜視図である。
【図４】本発明のハードケーススーツケースにパネルを結合させる外観斜視図である。
【図５】本発明のハードケーススーツケースにパネルを結合させる外観を他の角度から見た斜視図である。
【図６】本発明のハードケーススーツケースにパネルを結合させる側面の概略図である。
【図７】本発明の他の実施形態によるハードケーススーツケースにパネルを結合させる側面の概略図である。
【図８】本発明のパネル側面から開かれた状態を示す斜視の概略図である。
【図９】本発明のパネル上面から開かれた状態を示す斜視の概略図である。
【図１０】本発明の第１実施形態によるパネル上面から開かれた状態及び結合キットを示す斜視の概略図である。
【図１１】本発明の第１実施形態によるパネル上面から開かれた状態及び結合キットを示す側面の概略図である。
【図１２】本発明の第１実施形態によるパネル側面から開かれた状態及び結合キットを示す傾斜の概略図である。
【図１３】本発明の他の実施形態によるパネル側面から開かれた状態及び結合キットを示す傾斜の概略図である。
【図１４】本発明の他の実施形態によるパネル上面から開かれた状態及び結合キットを示す傾斜の概略図である。
【図１５】本発明のパネル上面から開かれた状態及びロックキットを示す部分の傾斜の概略図である。
【発明を実施するための形態】
【００１１】
本発明における好適な実施の形態について、添付図面を参照して説明する。
尚、以下に説明する実施の形態は、特許請求の範囲に記載された本発明の内容を限定するものではない。また、以下に説明される構成の全てが、本発明の必須要件であるとは限らない。
【実施例】
【００１２】
（第１実施形態）
以下、本発明のハードケーススーツケースを図３〜１５に基づいて説明する。本発明のハードケーススーツケースは以下の部材で構成される。
（１）硬質のケース本体１０。
上部１００と、底部１０１と、左側部１０２と、右側部１０３と、連接部３１と、背部１０４とを有し、上部１００及び底部１０１は左側部１０２、右側部１０３及び背部１０４に相互に連接される。連接部３１は左側部１０２、右側部１０３及び底部１０１に相互に連接され、連接部３１の高さは背部１０１より低く、ケース本体１０は連接部３１の上方に開口部１１が形成され、ケース本体１０の内部には収納空間１２を有し、開口部１１は収納空間１２に連通される。底部１０１は単一の部材であり、且つ複数の結合端部３２を有する。これら前記結合端部３２は凹設方式により底部１０１の４つの角に成形される。ケース本体１０の背部１０４にはハンドル２０が設置される。
【００１３】
本実施形態において、連接部３１は底部１０１から先ず外に向けて適度な広さＷ延伸された後に上に向けて予定の高さＨ突起され（図９乃至図１３参照）、開口部１２の下方の位置にある二側の辺縁には連接部３１に連接される凹状の弧部１２０を各々有する。
【００１４】
（２）パネル４０。
ケース本体１０の開口部１２の位置に枢着され、且つ結合キット４１によりパネル４０が開口部１２を閉じる位置に固定される。パネル４０は凹状の弧部１２０により装設がスムーズになり、且つ結合キット４１はパネル４０が開かれる方向に合わせて異なる位置に設置される（図８及び図９参照）。図８及び図９はそれぞれパネル４０側面から開かれた動作の概略図及び上面から開かれた動作の概略図である。
結合キット４１はファスナーキットであり、図６乃至図９に示すように、パネル４０及びケース本体１０の開口部１２の周縁に設置される。また結合キット４１はロックキットでもよく（図１０乃至図１２参照）、複数のロック片及びロックリングを有し、パネル４０及びケース本体１０の対向し合う位置に設置される。あるいは結合キット４１は磁気吸着キットであり（図１３及び図１４参照）、相互に吸着される複数組の磁石（或いは磁石及び鉄板等の磁石により吸着される部材）を有し、パネル及びケース本体１０の対向し合う位置に設置される。さらに結合キット４１は相互に錠止される１組の鍵４１１及び錠前４１２を有してもよく（図１５参照）、パネル４０及びケース本体１０の対向し合う位置に設置される。鍵４１１には文字合わせ鍵を有し、錠止後には正確な数字の組み合わせを入力しなければ開けられない。
【００１５】
（３）４つのキャスターセット５０。
底部１０１の４つの結合端部３２に装設される。
【００１６】
本発明の主な技術的特徴は、スーツケースのケース本体１０に改良が加えられ、ケース本体１０は一体成形方式で成形され、且つケース本体１０は開口部１２の下方に予定の高さＨの連接部３１を有すると共に底部１０１に結合され、底部１０１の４つの結合端部３２は凹設方式で成形されることで予め設けられる。また、同じ平面になるように予め設けられるキャスターセット５０は、各キャスターセット５０が同一の水平の高さに位置され、装設後にキャスターセット５０が地面に対して高さが一致するように確保させる。
【００１７】
このほか、ケース本体１０は一体成形で製造されると共に連接部３１に結合されるため、連接部３１の設計によりケース本体１０の耐衝撃強度が強化され、ケース本体１０の底部１０１の堅牢性も強化され、且つスーツケースが置かれた際に安定して倒れなくなる効果を有する。
【００１８】
ケース本体１０は物品を収納させるための内側に凹む収納空間１１、及び使用者がスーツケースを移動させやすくするためのハンドル２０を有し、ケース本体１０の開口部１２は結合キット４１によりパネル４０に結合される。
結合キット４１によりパネル４０がケース本体１０に確実に固結されることで、スーツケースの運搬時にパネル４０が開いてケース本体１０の収納空間１１内に収納された物品が飛び出す事態を回避させる。
【００１９】
体積がより大きいスーツケースの設計では、キャスターセット５０がケース本体１０の底部１０１に直接装設され、キャスターセット５０が直接受力する効果を更に有し、ケース本体１０が移動或いは直立して置かれた場合の安定性及びバランスを改善させる。
スーツケースが置かれた場合のバランスは地面に接する面積が大きくなるほど傾いたり倒れたりしにくくなり、且つ底部１０１がケース本体１０の底部１０１を完全に被覆させるため、ケース本体１０の底部１０１の支持構造がより強化される。
【００２０】
本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００２１】
１      スーツケース
２      ファスナー
３      前ケース
４      後ケース
５      キャスターセット
１０    ケース本体
１００  上部
１０１  底部
１０２  左側部
１０３  右側部
１０４  背部
１１    収納空間
１２    開口部
１２０  凹状の弧部
２０    ハンドル
３１    連接部
３２    結合端部
４０    パネル
４１    結合キット
５０    キャスターセット
Ｈ      予定の高さ
Ｗ      適度な広さ